(57)【要約】      （修正有）【課題】メモリカードを挿入するとき、安定してスムーズに挿入定位置することが可能な、案内式共用スロットを有するメモリカードの接続台を提供する。【解決手段】上蓋１、共用端子台２及び複数組の導接端子３１が含まれ、共用端子台２は種の違うメモリカードの導接端子組３１の設置を選定提供する。上蓋１と共用端子台２は結合して複合式共用スロットＡを形成し、各メモリカードの組み合わせ挿入に適合する。特に共用スロットＡの挿入口周壁にはすべて案内角が設け加えられ、かつＸＤメモリカードと相対して組み合わせられる挿入口の下壁面には上昇斜面が設けられる。共用スロットＡには自動にメモリカードを案内し、安定して挿入される効果及び良好な接触がある。特に薄い扁平状のＸＤメモリカードに対して極めてよい保護が得られ、挿入に偏りが起きてＸＤメモリカードに生じる損傷を回避可能である。【選択図】図２
0003115813.tif 000002
【実用新案登録請求の範囲】
【請求項１】
案内式共用スロットを有するメモリカードの接続台であって、上蓋、共用端子台及び複数組の接続端子を備え、
上蓋は金属の蓋であり、共用端子台は絶縁の台であり、かつ上蓋と組合し結合して一端に階段形の広い開口状の、かつ各メモリカードの挿入に適宜に組み合わせられる共用スロットが形成され、複数組の導接端子は共用端子台に選定設置されて違うメモリカードとの導接に供され、
共用スロットの挿入口周壁に案内角が設けられ、かつ薄い扁平状のメモリカードと相対して適宜に組み合わせられる挿入口両側の内壁には斜面が設けられ、メモリカードが挿入された場合は自動案内挿入が形成されることを特徴とする案内式共用スロットを有するメモリカードの接続台。
【請求項２】
共用スロットの挿入口の上、下及び両側周壁にはともに案内角が設けられていることを特徴とする請求項１記載の案内式共用スロットを有するメモリカードの接続台。
【請求項３】
共用スロットの薄い扁平状メモリカードと相対して適宜に組み合わせられる挿入口内の両側下壁面には上昇斜面が設けられていることを特徴とする請求項１記載の案内式共用スロットを有するメモリカードの接続台。
【請求項４】
共用スロットの薄い扁平状メモリカードと相対して適宜に組み合わせられる挿入口内の両側上壁面には下降斜面が設けられていることを特徴とする請求項１記載の案内式共用スロットを有するメモリカードの接続台。
【請求項５】
薄い扁平状のメモリカードはＸＤメモリカードであることを特徴とする請求項１記載の案内式共用スロットを有するメモリカードの接続台。
【請求項６】
複数組の導接端子はＸＤメモリカード、ＭＭＣ４．０メモリカード、ＳＤメモリカード及びＭＳメモリカードとの組み合わせ導接が可能であることを特徴とする請求項１記載の案内式共用スロットを有するメモリカードの接続台。
【考案の詳細な説明】
【技術分野】
【０００１】
本考案は、複合式メモリカードの接続台の改善設計に関し、特に案内式共用スロットを有するメモリカードの接続台の設計に関する。
【背景技術】
【０００２】
従来のメモリカードは種類と形式が多いので、従来のメモリカードの接続台も通常は複合式共用スロットが設けられて各種メモリカードの組み合わせ挿入を提供し、使用者の違ったニーズを満足する。
【０００３】
従来の複合式メモリカードの接続台の構成は概して金属製の上蓋、絶縁性共用端子台及び複数組の各メモリカードと組合して接触できる導接端子が含まれ、共用端子台内には違ったニーズによって偵測シート、読み書き防止偵測シート、接地端子または溶接補助シート等関連の周知部材が設けられている。上蓋と共用端子台が連結されると複合式共用スロットとなり各種メモリカードの組み合わせ挿入に供される。共用スロットは多種適宜に組み合わせられた挿入口から複合に構成され、それの主要は多階段状のかつ幅広い相通した共用スロットに現れている。
【考案の開示】
【考案が解決しようとする課題】
【０００４】
上述周知の複合式メモリカードの接続台の共用スロットの各適宜に組み合わせられた挿入口の周壁はすべて垂直角で内壁に延伸した構造形態を採用し、かつ挿入口の幅は適宜に組み合わせたメモリカードと概して相当しているので、メモリカードを挿入するときは比較的偏りが発生しやすく、安定してスムーズに挿入定位置することが難しく、特にやや薄い小型のメモリカード（例えばＳＤメモリカード）に対し、挿入時は更に精確に合わせにくく、左右に偏倚しまたは偏りが起きるだけでなく、強行に押し込むとＳＤメモリカードが変形して共用スロット内に引っかかってしまい、往々にＳＤメモリカードが損害してしまい、または導接端子とぶっつかり接触し、導接端子が折れて損害する可能がある。
【０００５】
したがって本考案の目的は、メモリカードを挿入するとき、安定してスムーズに挿入定位置することが可能な、案内式共用スロットを有するメモリカードの接続台を提供することにある。
【課題を解決するための手段】
【０００６】
上述の目的を達成するために本考案の請求項に記載の案内式共用スロットを有するメモリカードの接続台は、上蓋、共用端子台及び複数組の導接端子が含まれ、共用端子台はＸＤ、ＭＳ、ＳＤまたはＭＭＣ４．０等四種の違うメモリカードの導接端子組の設置を選定提供する。上蓋と共用端子台は結合して複合式共用スロットを形成し、各メモリカードの組み合わせ挿入に適合する。特に共用スロットの挿入口周壁にはすべて案内角が設け加えられ、かつＸＤメモリカードと相対して組み合わせられる挿入口の下壁面には上昇斜面が設けられ、それによって共用スロットには自動にメモリカードを案内し、安定して挿入される効果及び良好な接触がある。特に薄い扁平状のＸＤメモリカードに対して極めてよい保護が得られ、挿入に偏りが起きてＸＤメモリカードが損害してしまうことを回避可能である。
【考案を実施するための最良の形態】
【０００７】
以下、本考案の実施例を図面に基づいて説明する。
図１と図２に示すように、本考案の実施例による案内式共用スロットを有するメモリカードの接続台の構成の主要は上蓋１、共用端子台２及び複数組の導接端子３１、導接端子３２、導接端子３３、導接端子３４が含まれる。
上蓋１は金属製の蓋である。
【０００８】
共用端子台２は図３に示すように、絶縁性の台で上蓋１との組み合わせ結合に供される。その一端は階段形に現れた幅広い開口状の共用スロットＡが形成され（図４に示す）、共用スロットＡは各メモリカード４１、メモリカード４２、メモリカード４３、メモリカード４４（図５に示すように、ＭＭＣ４．０メモリカード４１、ＳＤメモリカード４２、ＸＤメモリカード４３及びＭＳメモリカード４４等）と適宜に組み合わせられて挿入定位置に供される。その共用スロットＡの挿入口の上、下及び両側周壁にはすべて案内角Ａ１が設けられ、かつＸＤメモリカード４３と相対して適宜に組み合わせられる挿入口両側の下壁面には上昇斜面Ａ２が設けられている（図３に示す）。
【０００９】
複数組の導接端子３１、導接端子３２、導接端子３３、導接端子３４は共用端子台２に選定して設けられ、各種違うメモリカード４１、メモリカード４２、メモリカード４３、メモリカード４４との導接を提供する。本実施例に於いて、その導接端子３１は単独にＭＭＣ４．０メモリカード４１との導接を提供することが可能であるほか、かつ導接端子３２と共用してＳＤメモリカード４２との導接を提供することが可能である。上述導接端子３１、導接端子３２、導接端子３３、導接端子３４の設置は周知の技術に属するので、必要時は勿論違ったメモリカードに対応してそれの分布形態を変えることが可能である。
【００１０】
上述の上蓋１、共用端子台２及び複数組の導接端子３１、導接端子３２、導接端子３３、導接端子３４によって構成された複合式メモリカードの接続台は、共用スロットＡの挿入口の周壁に案内角Ａ１があるので、各適宜に組み合わせられたメモリカードが挿入された場合、周壁の案内角Ａ１によって自動的にメモリカードは案内されて安定スムーズに挿入される。特にＸＤメモリカード４３（またはその他薄い扁平状メモリカード）に対し、相対して適宜に組み合わせられた挿入口の両側下壁面には上昇斜面Ａ２があるので、第一時間には周壁の案内角Ａ１によって安定スムーズに挿入されるだけでなく、更に上昇斜面Ａ２を通じて再びそれを案内して精確に挿入定位置することが可能である（図６から図７に示す如く）。薄い扁平状のＸＤメモリカード４３を充分に保護することが可能で、挿入の偏り（例えば強引に斜めに挿入して引っかかった現象）が発生してメモリカードまたは導接端子が変形損害することを防止することが可能である。
【００１１】
本実施例により、前述共用端子台２は各種違うメモリカードのニーズによって図２に示すように、読み書き防止偵測シート５１、偵測シート５２、接地端子５３またはその他例えば溶接補助シート等関連の周知部材が設けられるが、これら配置構成は周知のものであるので、ここでは余計な説明をしない。
【００１２】
図面と実施例の開示により、それは薄い扁平状のＸＤメモリカード４３を含むフォーインワンの複合式メモリカードの接続台を現し、同時にＭＭＣ４．０メモリカード４１、ＳＤメモリカード４２及びＭＳメモリカード４４の共用可能な構成の具体的実行可能の形態を提供しているが、同理からわかるように、およそその他形態が同じまたは違うメモリカードで、もし相対する導接端子の分布または構成形態を適当に変更したものであれば、同じく本考案に適用される。
【００１３】
上述実施例により開示したのものは本考案の主要技術の例の説明であり、それは本考案の技術範囲を制限するものではなく、およそ同等効果の応用または前項の技術手段に基ずいて行った簡単な変更または入れ替えに関するものは、すべて本考案の技術範囲に属するものと見なすべきである。例えば上述の共用端子２の共用スロットＡはその中の一種または一種以上のメモリカードに対して相対の挿入口を適宜に組み合わせ、周壁の案内角の選定設置をニーズによって任意に決定する。更に進んで、ＸＤメモリカード４３と相対して適宜に組み合わせられる挿入口はＸＤメモリカードの挿入口の上壁面に下降斜面を設けるように変更し、それによってＸＤメモリカード（またはその他薄い扁平状メモリカード）を案内して完全挿入することが可能であり、これも同等効果の応用である。
【００１４】
以上をまとめると、本考案が行う案内式共用スロットを有するメモリカードの接続台の設計は、それの全体構成は創意が新しく進歩性があり、自動的にメモリカードを案内し、安定確実に相対に組み合わせられた挿入口に挿入することができ、薄い扁平状メモリカードに挿入偏りが発生して損害することを有効に解決することが可能で、実用性がある。
【００１５】
本考案の主な目的は案内式共用スロットを有するメモリカードの接続台の設計を提供するもので、それは複合式メモリカードの接続台の共用スロットに対して改善を行う。共用スロットの挿入口周壁にすべて案内角が設け加えられ、かつＸＤメモリカードと相対して組み合わせられる挿入口の下壁面には斜面が設けられ、それによって共用スロットには自動にメモリカードを案内し、安定して挿入される効果及び良好な接触が提供される。特に薄い扁平状のＸＤメモリカードに対して極めてよい保護が得られ、挿入に偏りが起きてＸＤメモリカードが損害してしまうことを有効に防止することが可能である。
【００１６】
接続台は複合式共用スロットであり、それはＸＤ、ＭＳ、ＳＤまたはＭＭＣ４．０等四種の違うメモリカードの組み合わせの挿入使用を選定提供することが可能である。
【図面の簡単な説明】
【００１７】
【図１】本考案の実施例による案内式共用スロットを有するメモリカードの接続台を示す組み合わせ立体図である。
【図２】本考案の実施例による案内式共用スロットを有するメモリカードの接続台を示す分解立体図である。
【図３】本考案の実施例による案内式共用スロットを有するメモリカードの接続台の共用端子台の部品を示す立体図である。
【図４】本考案の実施例による案内式共用スロットを有するメモリカードの接続台の共用端子台の部品を示す正面図である。
【図５】本実施例が多種メモリカードの適用に供される使用意表図である。
【図６】本実施例がＸＤメモリカードと組み合わせ、共用スロット周壁上側の案内角に沿って挿入されたときの状態の意表図である。
【図７】本実施例がＸＤメモリカードと組み合わせ、共用スロット周壁下側の案内角に沿って挿入されたときの状態の意表図である。
【図８】本実施例がＸＤメモリカードと組み合わせ、上昇斜面の案内に沿って進入した状態の意表図である。
【符号の説明】
【００１８】
１  上蓋、２  共用端子台、３１  導接端子、３２  導接端子、３３  導接端子、３４  導接端子、４１  メモリカード、４２  メモリカード、４３  メモリカード４３  メモリカード、５１  読み書き防止偵測シート、５２  偵測シート、５３  接地端子
【図１】
0003115813.tif 000003
【図２】
0003115813.tif 000004
【図３】
0003115813.tif 000005
【図４】
0003115813.tif 000006
【図５】
0003115813.tif 000007
【図６】
0003115813.tif 000008
【図７】
0003115813.tif 000009
【図８】
0003115813.tif 000010